(57)【特許請求の範囲】
【請求項１】
開閉部材を有する役物装置と、
前記役物装置の内側に配設された特定領域と、
前記特定領域を通過した遊技球を検出する検出手段と、
前記開閉部材を制御する開閉部材制御手段と、
前記検出手段による遊技球の検出を有効又は無効とする検出制御手段と、
遊技球が前記特定領域を通過することを許可する第１状態と、遊技球が前記特定領域を通過することを阻止する第２状態と、を形成することが可能な可動部材と、
前記可動部材を制御する可動部材制御手段と、を備え、
前記検出制御手段は、
前記開閉部材制御手段による前記開閉部材の開放制御の開始から所定時間が経過した後に、前記検出手段による遊技球の検出を有効とし、
前記可動部材制御手段は、
前記開閉部材制御手段による前記開放制御の開始に応じて、前記可動部材を前記第２状態から前記第１状態とする開始制御を実行し、
前記所定時間は、前記可動部材制御手段による前記開始制御が開始されてから完了するまでの時間より長く設定されていることを特徴とする遊技機。
【請求項２】
前記所定時間は、前記役物装置に入球した遊技球が前記特定領域に到達するために要する最短時間より短く設定されていることを特徴とする請求項１に記載の遊技機。
【発明の詳細な説明】
【技術分野】
【０００１】
本発明は、特定領域を通過した遊技球を検出する検出手段を備える遊技機に関する。
【背景技術】
【０００２】
従来、始動入賞口と、該始動入賞口への遊技球の入賞を契機として遊技球の入球が可能な状態となるセンター役物と、を備える遊技機が知られている（特許文献１参照）。
この遊技機では、センター役物の内側に、遊技球の転動を規制する可動部材と、該可動部材の下流側に設けられた特定領域と、特定領域を通過した遊技球を検出する検出手段と、を備えている。
そして、この遊技機では、始動入賞口への遊技球の入賞に応じて、可動部材の可動が開始されるとともに、検出手段による遊技球の検出が有効となる。
【先行技術文献】
【特許文献】
【０００３】
【特許文献１】特開２００９−１０１２４４号公報
【発明の概要】
【発明が解決しようとする課題】
【０００４】
しかしながら、特許文献１に係る遊技機では、検出手段による遊技球の検出を不正に得る行為が行われる恐れがある。
すなわち、特許文献１に係る遊技機では、ホールスタッフ等によって、遊技球が、センター役物の内側において、可動部材によって転動が規制された状態で不正に配置される行為（以下、不正配置行為とする）が行われる恐れがある。
この不正に配置された遊技球は、始動入賞口への遊技球の入賞により可動部材の可動が開始された際に、可動部材によって特定領域に誘導され、検出手段によって有効に検出される。
本発明の課題は、検出手段による遊技球の検出を不正に得る行為を防止することである。
【課題を解決するための手段】
【０００５】
上記目的を達成するために、第一の発明に係る遊技機は、開閉部材を有する役物装置と、前記役物装置の内側に配設された特定領域と、前記特定領域を通過した遊技球を検出する検出手段と、前記開閉部材を制御する開閉部材制御手段と、前記検出手段による遊技球の検出を有効又は無効とする検出制御手段と、遊技球が前記特定領域を通過することを許可する第１状態と、遊技球が前記特定領域を通過することを阻止する第２状態と、を形成することが可能な可動部材と、前記可動部材を制御する可動部材制御手段と、を備え、前記検出制御手段は、前記開閉部材制御手段による前記開閉部材の開放制御の開始から所定時間が経過した後に、前記検出手段による遊技球の検出を有効とし、前記可動部材制御手段は、前記開閉部材制御手段による前記開放制御の開始に応じて、前記可動部材を前記第２状態から前記第１状態とする開始制御を実行し、前記所定時間は、前記可動部材制御手段による前記開始制御が開始されてから完了するまでの時間より長く設定されていることを特徴とする。
【０００６】
第一の発明に係る遊技機では、開閉部材の開放制御の開始から所定時間が経過した後に、検出手段による遊技球の検出を有効となる。
これにより、開閉部材の開放制御の開始から所定時間が経過する前に特定領域を通過した遊技球については、検出手段による検出は無効となる。
したがって、不正配置行為によって配置された遊技球が特定領域を通過しても、該遊技球についての検出手段による検出は無効となる。
よって、第一の発明に係る遊技機によれば、検出手段による遊技球の検出を不正に得る行為を防止することが可能となる。
【０００７】
ここで、開閉部材としては、例えば、後述する開閉部材２１１が該当する。役物装置としては、例えば、後述する役物装置２００が該当する。特定領域としては、例えば、後述する特定入賞口２４１が該当する。検出手段としては、例えば、後述する特定入賞口スイッチ３１７が該当する。開閉部材制御手段としては、例えば、後述する主制御装置４００が該当する。検出制御手段としては、例えば、後述する主制御装置４００が該当する。
【０００９】
また、第一の発明に係る遊技機では、開閉部材の開放制御の開始に応じて、可動部材が、遊技球が特定領域を通過することを許可する第１状態となった後に、検出手段による遊技球の検出が有効となる。
これにより、不正配置行為によって配置された遊技球は、検出手段による遊技球の検出が有効となる前に、特定領域を通過する。
したがって、第一の発明に係る遊技機によれば、検出手段による遊技球の検出を不正に得る行為をより確実に防止することが可能となる。
【００１０】
ここで、可動部材としては、例えば、後述する可動部材２４２が該当する。可動部材制御手段としては、例えば、後述する主制御装置４００が該当する。
また、第二の発明に係る遊技機は、第一の発明に係る遊技機において、前記所定時間は、前記役物装置に入球した遊技球が前記特定領域に到達するために要する最短時間より短く設定されている。
第二の発明に係る遊技機によれば、通常の遊技中において、適正に役物装置に入球した遊技球について、検出手段による検出が無効となることを防止することが可能となる。
【発明の効果】
【００１１】
本発明によれば、検出手段による遊技球の検出を不正に得る行為を防止することが可能となる。
【図面の簡単な説明】
【００１２】
【図１】パチンコ機における遊技盤面の正面部、特に説明に必要な部分を模式的に示した図である。
【図２】役物装置の正面図である。
【図３】特定入賞口が閉鎖されている状態の特定入賞装置を示す拡大正面図である。
【図４】特定入賞口が開放されている状態の特定入賞装置を示す拡大正面図である。
【図５】パチンコ機の制御系の構成を示すブロック図である。
【図６】特定入賞装置制御処理を示すタイミングチャートである。
【図７】役物装置の動作を説明するための図である。
【発明を実施するための形態】
【００１３】
以下、本発明の実施形態を図面を参照しながら説明する。
本実施形態では、本発明に係る遊技機を、パチンコ機１に適用している。
（遊技盤面の構成）
まず、パチンコ機１における遊技盤面１００の構成を説明する。
図１は、パチンコ機における遊技盤面の正面部、特に説明に必要な部分を模式的に示した図である。
図１に示すように、遊技盤面１００には、遊技球の発射路１０１を構成する外レール１０２及び内レール１０３が設けられている。遊技盤面１００では、外レール１０２及び内レール１０３によって囲まれた円形の領域が、遊技球を転動させる遊技領域１０４となっている。遊技領域１０４には、後述する各入賞口等に遊技球を導くように、複数の釘（図示せず）が配設されている。そして、発射装置（図示せず）によって発射された遊技球は、発射路１０１を介して遊技領域１０４に進入して、遊技領域１０４を下方に向かって転動する。
【００１４】
遊技領域１０４のほぼ中央部には、役物装置２００が配設されている。遊技領域１０４は、役物装置２００の左側に形成された左側転動経路１０６と、役物装置２００の右側に形成された右側転動経路１０７と、を有している。
左側転動路１０６における役物装置２００の左側には、第一始動入賞口１１０が配設されている。第一始動入賞口１１０は、上向きに開口した入賞口（いわゆるヘソ）であり、常時、遊技球の入賞が可能な状態となっている。第一始動入賞口１１０に入賞した遊技球は、パチンコ機１の内部に配設された第一始動入賞口スイッチ３１０（図５参照）により検出される。そして、第一始動入賞口スイッチ３１０は、遊技球の入賞を検出すると、後述する主制御装置４００に対して検出信号を入力し、特別図柄Ａ抽選の契機を与える。
【００１５】
右側転動路１０７における役物装置２００の右側には、始動ゲート１２０が設けられている。始動ゲート１２０は、常時、遊技球の通過が可能な状態となっている。始動ゲート１２０を通過した遊技球は、パチンコ機１の内部に配設された始動ゲートスイッチ３１１（図５参照）により検出される。そして、始動ゲートスイッチ３１１は、遊技球の通過を検出すると、主制御装置４００に対して検出信号を入力し、普通図柄抽選の契機を与える。
【００１６】
右側転動路１０７における始動ゲート１２０の下方には、第二始動入賞口１３０が配設されている。第二始動入賞口１３０は、始動入賞口ソレノイド３２０（図５参照）によって開閉される開閉部材１３１を有する可変入賞口となっている。第二始動入賞口１３０は、通常時は、開閉部材１３１が閉止状態となり、遊技球の入賞が不可能な状態となっている。そして、第二始動入賞口１３０は、普通図柄抽選に当選した場合、開閉部材１３１が所定パターンで開放状態となって、遊技球の入賞が可能な状態となる。第二始動入賞口１３０に入賞した遊技球は、パチンコ機１の内部に配設された第二始動入賞口スイッチ３１２（図５参照）により検出される。そして、第二始動入賞口スイッチ３１２は、遊技球の入賞を検出すると、主制御装置４００に対して検出信号を入力し、特別図柄Ｂ抽選の契機を与える。
【００１７】
右側転動路１０７における第二始動入賞口１３０の下方には、大入賞口１４０が配設されている。大入賞口１４０は、大入賞口ソレノイド３２１（図５参照）によって開閉される開閉部材１４１を有する可変入賞口となっている。大入賞口１４０は、通常時は、開閉部材１４１が閉止状態となり、遊技球の入賞が不可能な状態となっている。そして、大入賞口１４０は、後述する特定入賞口２４１への遊技球の入賞が検出された場合に、所定パターンで開放状態となって、遊技球の入賞が可能な状態となる。大入賞口１４０に入賞した遊技球は、パチンコ機１の内部に配設された大入賞口スイッチ３１３（図５参照）により検出される。そして、大入賞口スイッチ３１３は、遊技球の入賞を検出すると、主制御装置４００に対して検出信号を入力し、入賞した遊技球数に応じた数の賞球を払い出す契機を与える。
【００１８】
左側転動路１０６における第一始動入賞口１１０の下方には、左一般入賞口１５０が配設されている。また、右側転動路１０７における大入賞口１４０の下方には、右一般入賞口１６０が配設されている。左一般入賞口１５０及び右一般入賞口１６０は、それぞれ、上向きに開口した入賞口であり、常時、遊技球の入賞が可能な状態となっている。左一般入賞口１５０に入賞した遊技球は、パチンコ機１の内部に配設された左一般入賞口スイッチ３１４（図５参照）により検出される。また、右一般入賞口１６０に入賞した遊技球は、パチンコ機１の内部に配設された右一般入賞口スイッチ３１５（図５参照）により検出される。そして、左一般入賞口スイッチ３１４及び右一般入賞口スイッチ３１５は、それぞれ、遊技球の入賞を検出すると、主制御装置４００に対して検出信号を入力し、賞球を払い出す契機を与える。
【００１９】
第一始動入賞口１１０の左方には、パチンコ機１の遊技状態を表示する遊技状態表示装置１７０が配設されている。遊技状態表示装置１７０は、特別図柄Ａ表示部１７１と、特別図柄Ｂ表示部１７２と、普通図柄表示部１７３と、ラウンド数表示部１７５と、時短状態表示部１７６とを有している。特別図柄Ａ表示部１７１、特別図柄Ｂ表示部１７２、普通図柄表示部１７３、ラウンド数表示部１７５及び時短状態表示部１７６は、それぞれ、例えば、ＬＥＤランプ、７セグメントＬＥＤ、ドットマトリクスＬＥＤ等によって構成される。
【００２０】
特別図柄Ａ表示部１７１は、数字や図柄等からなる特別図柄Ａの変動表示及び停止表示を行うことが可能となっている。特別図柄Ａ表示部１７１は、停止表示された特別図柄Ａによって、特別図柄Ａ抽選の結果を表示する。
特別図柄Ｂ表示部１７２は、数字や図柄等からなる特別図柄Ｂの変動表示及び停止表示を行うことが可能となっている。特別図柄Ｂ表示部１７２は、停止表示された特別図柄Ｂによって、特別図柄Ｂ抽選の結果を表示する。
【００２１】
普通図柄表示部１７３は、数字や図柄等からなる普通図柄の変動表示及び停止表示を行うことが可能となっている。普通図柄表示部１７３は、停止表示された普通図柄によって、普通図柄抽選の結果を表示する。
ラウンド数表示部１７５は、大入賞口１４０の開放制御が実行される際に、当該開放制御のラウンド数を表示する。
【００２２】
時短状態表示部１７６は、時短状態が生起されていることを表示する。時短状態とは、普通図柄抽選の当選確率が、通常時と比較して高確率（例えば、１０倍）になるとともに、第二始動入賞口１３０の開閉部材１３１が開放状態となる時間が、通常時と比較して延長される状態をいう。時短状態は、特賞状態の終了後に生起され、特別図柄抽選Ａ，Ｂが設定された時短回数行われるか、新たに特賞状態が生起されるまで継続する。
役物装置２００の下方であって遊技領域１０４の最下方には、各入賞口及び役物装置２００のいずれにも入賞しなかった遊技球を回収するためのアウト口１８０が設けられている。
【００２３】
（役物装置の構成）
次に、役物装置２００の構成を説明する。
図２は、役物装置の正面図である。図３は、特定入賞口が閉鎖されている状態の特定入賞装置を示す拡大正面図である。図４は、特定入賞口が開放されている状態の特定入賞装置を示す拡大正面図である。
図２に示すように、役物装置２００は、遊技球を入球させる入球口２１０と、入球口２１０から入球した遊技球を誘導する誘導路２２０と、誘導路２２０の下流側に配設された振分装置２３０と、振分装置２３０の下流側に配設された特定入賞装置２４０と、特定入賞装置２４０の両側に設けられた排出口２５０と、を有している。
【００２４】
入球口２１０には、開閉可能に形成された開閉部材２１１が配設されている。開閉部材２１１は、開閉部材ソレノイド３２２（図５参照）によって開閉される一対の羽片２１２ａ，２１２ｂから構成されている。開閉部材２１１は、一対の羽片２１２ａ，２１２ｂが互いに閉じることによって閉止状態となる。開閉部材２１１が閉止状態となっている際には、役物装置２００の内側（入球口２１０）への遊技球の入球が不可能となる。一方、開閉部材２１１は、一対の羽片２１２ａ，２１２ｂが互いに開くことによって開放状態となる。開閉部材２１１が開放状態となっている際には、役物装置２００の内側（入球口２１０）への遊技球の入球が可能となる。ここで、役物装置２００は、入球口２１０以外からは、役物装置２００の内側に遊技球が入球するができないように構成されている。
【００２５】
誘導路２２０は、入球口２１０から入球した遊技球を振分装置２３０に誘導する。誘導路２２０は、遊技球を転動させることが可能となるように通路状に形成されている。誘導路２２０は、分岐部２２１から分岐する第一の誘導通路２２２及び第二の誘導通路２２３を有している。
振分装置２３０は、円筒状に形成された周壁部２３１と、周壁部２３１の内側に配設された回転部材２３２と、周壁部２３１の側方に配設された補助片２３３とを備えている。
【００２６】
回転部材２３２は、円盤状に形成されている。回転部材２３２の外周部には、複数（本実施形態では９つ）の凹部２３２ａが設けられている。各凹部２３２ａは、遊技球を収容することが可能となるようにＵ字型に形成されている。
回転部材２３２は、回転軸２３２ｂを中心に回転させることが可能に構成されている。回転部材２３２は、回転軸２３２ｂが前後方向（図２に示す奥行き方向）に延びるように配設されている。回転部材２３２は、モータ３２３によって所定周期で回転され、凹部２３２ａに収容した遊技球を搬送可能となっている。本実施形態では、回転部材２３２は、図２に示す時計回りに、一定の周期で回転される。
【００２７】
周壁部２３１には、周壁部２３１の内側に遊技球を流入させる第一の流入口２３１ａ及び第二の流入口２３１ｂと、周壁部２３１から遊技球を流出させる第一の流出口２３１ｃ及び第二の流出口２３１ｄとが設けられている。
第一の流入口２３１ａは、第一の誘導路２２２を転動してきた遊技球を周壁２３１の内側に流入させる。第二の流入口２３１ｂは、第二の誘導路２２３を転動してきた遊技球を周壁２３１の内側に流入させる。
【００２８】
第二の流入口２３１ｂは、回転部材２３２による遊技球の搬送経路において、第一の流入口２３１ａの下流側に設けられている。第一の流出口２３１ｃは、回転部材２３２による遊技球の搬送経路において、第二の流入口２３１ｂの下流側に設けられている。第二の流出口２３１ｄは、回転部材２３２による遊技球の搬送経路において、第一の流出口２３１ｃの下流側に設けられている。また、第二の流出口２３１ｄは、特定入賞装置２４０の真上に設けられている。
【００２９】
補助片２３３は、第一の流出口２３１ｃの側方に配設されている。補助片２３３は、第一の流出口２３１ｃを開閉することが可能に形成されている。補助片２３３は、補助片ソレノイド３２５（図５参照）によって開閉される。補助片２３３は、所定パターンにより開閉される。
回転部材２３２によって搬送された遊技球は、第一の流出口２３１ｃが開放されている際には、第一の流出口２３１ｃから流出される。そして、第一の流出口２３１ｃから流出された遊技球は、排出口２５０に流入する可能性が高くなる。
【００３０】
一方、回転部材２３２によって搬送された遊技球は、第一の流出口２３１ｃが補助片２３３により閉鎖されている際には、第二の流出口２３１ｄから流出される。そして、第二の流出口２３１ｄから流出された遊技球は、特定入賞装置２４０の後述する特定入賞口２４１に入賞する可能性が高くなる。
図３に示すように、特定入賞装置２４０は、特定入賞口２４１（特定領域）と、特定入賞口２４１の正面側に配設された可動部材２４２と、を有している。
【００３１】
特定入賞口２４１に入賞（通過）した遊技球は、パチンコ機１の内部に配設された特定入賞口スイッチ３１７（検出手段）（図５参照）により検出される。そして、特定入賞口スイッチ３１７は、遊技球の入賞を検出すると、後述する主制御装置４００に対して検出信号を入力し、大入賞口１４０の開放制御を実行させる契機を与える。
可動部材２４２は、円盤状に形成されている。回転部材２４２の外周部には、凹部２４２ａが設けられている。凹部２４２ａは、遊技球を収容することが可能となるようにＵ字型に形成されている。
可動部材２４２は、回転軸２４２ｂを中心に回転させることが可能に構成されている。可動部材２４２２は、回転軸２４２ｂが前後方向に延びるように配設されている。可動部材２４２は、モータ３２６（図５参照）によって所定パターンで回転され、凹部２４２ａに収容した遊技球を搬送可能となっている。
【００３２】
図４に示すように、特定入賞装置２４０では、可動部材２４２の凹部２４２ａが特定入賞口２４１の正面の位置（以下、開放位置とする）に配置されることによって、特定入賞口２４１への遊技球の入賞が可能な状態（遊技球が特定領域を通過することを許可する第１状態）となる。すなわち、可動部材２４２の凹部２４２ａに収容された遊技球は、凹部２４２ａが開放位置に配置されることによって、特定入賞口２４１に入賞する。一方、特定入賞装置２４０では、可動部材２４２の凹部２４２ａが開放位置からずれた位置に配置されている際には、特定入賞口２４１への遊技球の入賞が不可能な状態（遊技球が特定領域を通過することを阻止する第２状態）となる。
排出口２５０は、特定入賞装置２４０の左右方向の両側方のそれぞれに配設されている。各排出口２５０は、特定入賞口２４１に入賞しなかった遊技球を回収する。
【００３３】
（制御系の構成）
次に、パチンコ機１における制御系の構成を説明する。
図５は、パチンコ機の制御系の構成を示すブロック図である。
図５に示すように、パチンコ機１は、第一始動入賞口スイッチ３１０と、第二始動入賞口スイッチ３１２と、始動ゲートスイッチ３１１と、大入賞口スイッチ３１３と、左一般入賞口スイッチ３１４と、右一般入賞口スイッチ３１５と、特定入賞口スイッチ３１７と、を備えている。
【００３４】
第一始動入賞口スイッチ３１０は、第一始動入賞口１１０への遊技球の入賞を検出し、検出信号を主制御装置４００に出力する。第二始動入賞口スイッチ３１２は、第二始動入賞口１３０への遊技球の入賞を検出し、検出信号を主制御装置４００に出力する。始動ゲートスイッチ３１１は、始動ゲート１２０への遊技球の通過を検出し、検出信号を主制御装置４００に出力する。大入賞口スイッチ３１３は、大入賞口１４０への遊技球の入賞を検出し、検出信号を主制御装置４００に出力する。左一般入賞口スイッチ３１４は、左一般入賞口１５０への遊技球の入賞を検出し、検出信号を主制御装置４００に出力する。右一般入賞口スイッチ３１５は、右一般入賞口１６０への遊技球の入賞を検出し、検出信号を主制御装置４００に出力する。特定入賞口スイッチ３１７は、特定入賞口２４１への遊技球の入賞を検出し、検出信号を主制御装置４００に出力する。
【００３５】
また、パチンコ機１は、制御部として、主制御装置４００と、副制御装置５００と、を備えている。不正行為防止等のため、主制御装置４００及び副制御装置５００は、それぞれ別々の基板に実装される。また、制御部では、主制御装置４００から副制御装置５００への一方向にのみデータの送信が可能となっている。
主制御装置４００は、主として、第一始動入賞口１１０への遊技球の入賞の検出及び第二始動入賞口１３０への遊技球の入賞の検出のそれぞれに応じて、各種の乱数カウンタから乱数を取得する。そして、主制御装置４００は、取得した各種の乱数に基づいて、制御コマンドの送信及び遊技全体の制御を行う。
【００３６】
また、主制御装置４００は、遊技状態表示装置１７０、賞球払出制御装置５１０、始動入賞口ソレノイド３２０、大入賞口ソレノイド３２１、開閉部材ソレノイド３２２、モータ３２３、補助片ソレノイド３２５、モータ３２６等を直接制御する。
主制御装置４００は、ＣＰＵ４１０と、ＲＯＭ４２０と、ＲＡＭ４３０と、入力ポート４４０と、出力ポート４５０とを備える。
【００３７】
入力ポート４４０は、第一始動入賞口スイッチ３１０、第二始動入賞口スイッチ３１２、始動ゲートスイッチ３１１、大入賞口スイッチ３１３、左一般入賞口スイッチ３１４、右一般入賞口スイッチ３１５及び特定入賞口スイッチ３１７のそれぞれから入力された検出信号をＣＰＵ４１０に出力する。
出力ポート４５０は、副制御装置５００、遊技状態表示装置１７０及び賞球払出制御装置５１０のそれぞれに対して制御コマンドを出力するとともに、始動入賞口ソレノイド３２０、大入賞口ソレノイド３２１、開閉部材ソレノイド３２２、モータ３２３、補助片ソレノイド３２５及びモータ３２６のそれぞれに対して制御信号を出力する。また、出力ポート４５０は、パチンコ機１の出玉情報や異常信号等をホールコンピュータ８００に出力する。
【００３８】
ＲＯＭ４２０には、主制御装置４００で実行されるパチンコ機１を制御するためのプログラム、遊技制御用のデータ等が記憶されている。特に、ＲＯＭ４２０には、モータ３２６を制御するための制御プログラムが記憶されている。
ＲＡＭ４３０は、主制御装置４００に対する入出力データ、演算処理のためのデータ、遊技に関連する乱数カウンタを始めとする各種カウンタ、抽選結果や遊技状態を管理するフラグ等を一時的に記憶する。
【００３９】
また、主制御装置４００には、電源供給を行うための電源回路９００が接続されている。
副制御装置５００は、主制御装置４００と同様に、ＣＰＵ、ＲＯＭ、ＲＡＭ、入力ポート及び出力ポートを備える。
副制御装置５００のＲＯＭには、演出を制御するためのプログラム、各種データ等が記憶されている。副制御装置５００のＲＡＭには、主制御装置４００から入力された制御コマンド、演算処理を行うためのデータ等が一時的に記憶される。副制御装置５００のＣＰＵは、主制御装置４００から受信した制御コマンドに応じて、ＲＯＭに記憶されたプログラムにしたがった処理を実行する。これにより、副制御装置５００のＣＰＵは、ランプ５３０の点灯制御及びスピーカ５４０からの効果音の出力制御を行う。
【００４０】
（各種抽選結果について）
次に、特別図柄Ａ抽選及び特別図柄Ｂ抽選の抽選結果について説明する。
パチンコ機１では、特別図柄Ａ抽選及び特別図柄Ｂ抽選のそれぞれの抽選結果として、複数種類の「当たり（特賞状態）」が設定されている。本実施形態では、複数種類の「当たり」として、「第１の当たり」、「第２の当たり」、「第３の当たり」及び「第４の当たり」が設定されている。なお、本実施形態では、特別図柄Ａ抽選及び特別図柄Ｂ抽選のそれぞれでは、「第１の当たり」、「第２の当たり」、「第３の当たり」及び「第４の当たり」のうちいずれかに当選し、「はずれ」となる場合はない。
「第１の当たり」又は「第２の当たり」では、役物装置２００の開閉部材２１１の開放制御が、１回実行される。また、「第３の当たり」又は「第４の当たり」では、役物装置２００の開閉部材２１１の開放制御が、２回実行される。
【００４１】
また、「第１の当たり」に対応する当たりフラグ又は「第３の当たり」に対応する当たりフラグが設定されている際に、特定入賞口２４１への遊技球の入賞が検出された場合には、１５ラウンドの大入賞口１４０の開放制御が実行される。「第２の当たり」に対応する当たりフラグ又は「第４の当たり」に対応する当たりフラグが設定されている際に、特定入賞口２４１への遊技球の入賞が検出された場合には、７ラウンドの大入賞口１４０の開放制御が実行される。
【００４２】
（遊技制御処理）
次に、主制御装置４００で実行される遊技制御処理を説明する。
主制御装置４００は、第一始動入賞口スイッチ３１０から検出信号を入力した場合、特別図柄Ａ抽選用乱数カウンタから特別図柄Ａ抽選乱数を取得する。そして、主制御装置４００は、取得した特別図柄Ａ抽選乱数の値が、特別図柄Ａ抽選用テーブルに登録されている当たり値と一致しているか否かを判定して、複数種類の「当たり」のうちいずれかを生起させることを決定する。
【００４３】
また、主制御装置４００は、第二始動入賞口スイッチ３１２から検出信号を入力した場合、特別図柄Ｂ抽選用乱数カウンタから特別図柄Ｂ抽選乱数を取得する。そして、主制御装置４００は、取得した特別図柄Ｂ抽選乱数の値が、特別図柄Ｂ抽選用テーブルに登録されている当たり値と一致しているか否かを判定して、複数種類の「当たり」のうちいずれかを生起させることを決定する。
【００４４】
そして、主制御装置４００は、生起させることを決定した「当たり」の種類に対応する当たりフラグを、ＲＡＭ４３０の所定領域に設定する。なお、主制御装置４００は、ＲＡＭの所定領域に設定した「当たり」の種類に対応する当たりフラグを、新たに「当たり」を生起させることが決定されるまで維持する。
そして、主制御装置４００は、当たりフラグを参照して、当該「当たり」の種類に応じた回数（１回又は２回）の開閉部材２１１の開放制御を開始することによって、当該「当たり」を生起させる。
ここで、各回における開閉部材２１１の開放制御では、開閉部材２１１の開放が開始されてから所定時間（例えば、２［ｓ］）が経過するか、所定数（例えば２個）の遊技球が入球するまで継続する。
【００４５】
また、主制御装置４００は、開閉部材２１１の開放制御の開始とともに、振分装置２３０の回転部材２３２の回転制御を開始する。
そして、主制御装置４００は、特定入賞口スイッチ３１７から検出信号を入力した場合、現在設定されている当たりフラグを参照して、当該「当たり」の種類に応じたラウンド数（１５ラウンド又は７ラウンド）の大入賞口１４０の開放制御を開始する。
ここで、各ラウンドにおける大入賞口１４０の開放制御は、大入賞口１４０の開放が開始されてから所定時間（例えば、３０［ｓ］）が経過するか、所定数（例えば１０個）の遊技球が入賞するまで継続する。
【００４６】
そして、「当たり」は、入球口２１０から入球した遊技球の数と排出口２５０から排出された遊技球の数とが一致しすることに応じて終了する。
また、「当たり」は、特定入賞口への２４１への遊技球の入賞を検出した場合には、当該大入賞口１４０の開放制御が終了することに応じて終了する。
【００４７】
（特定入賞装置制御処理）
次に、主制御装置４００が実行する特定入賞装置制御処理を説明する。
図６は、特定入賞装置制御処理を示すタイミングチャートである。
主制御装置４００は、特定入賞口スイッチ３１７による遊技球の検出を有効な状態又は無効な状態に制御するとともに、可動部材２４２の回転を制御する特定入賞装置制御を実行する。
具体的には、図６に示すように、主制御装置４００は、「当たり」が生起されていない際には、特定入賞口スイッチ３１７による遊技球の検出を無効な状態とする。
【００４８】
そして、主制御装置４００は、「当たり」を生起させることが決定された場合、開閉部材２１１の開放制御の開始から所定時間ｔ１が経過した後に、特定入賞口スイッチ３１７による遊技球の検出を有効な状態とする。
本実施形態では、特定入賞口スイッチ３１７は、常時、遊技球を検出して検出信号を主制御装置４００に対して送信することが可能となっている。そして、主制御装置４００は、特定入賞口スイッチ３１７から受信した検出信号を有効なものとして取り扱う又は無効なものとして取り扱うことによって、特定入賞口スイッチ３１７による遊技球の検出を有効な状態又は無効な状態に制御する。しかしながら、特定入賞口スイッチ３１７について、遊技球を検出可能な状態又は遊技球を検出不可能な状態とすることによって、特定入賞口スイッチ３１７による遊技球の検出を有効な状態又は無効な状態に制御する構成としても構わない。
【００４９】
また、主制御装置４００は、「当たり」が生起されていない際には、可動部材２４２の凹部２４２ａが周壁部２３１の第二の流出口２３１ｄの真下の位置（以下、初期位置とする）に配置された状態（図３参照）となるように、可動部材２４２の回転を制御する。この際、凹部２４２ａが初期位置に配置されることによって、第二の流出口２３１ｄから流出した遊技球を凹部２４２ａに受け入れ易い状態となる。
【００５０】
そして、主制御装置４００は、「当たり」を生起させることが決定された場合、開閉部材２１１の開放制御の開始と同時に、可動部材２４２の開始制御を開始する。
図６に示すように、開始制御では、凹部２４２ａが初期位置に配置されている状態の可動部材２４２を正回転（反時計回りに回転）させて、凹部２４２ａが開放位置に配置された状態（図４参照）として、この状態で所定時間ｔ２停止させる。
ここで、特定入賞装置２４０では、可動部材２４２の凹部２４２ａが開放位置に配置されることによって、凹部２４２ａに収容されている遊技球は、特定入賞口２４１に入賞する。
【００５１】
そして、主制御装置４００は、可動部材２４２の開始制御を完了後、可動部材２４２の揺動制御を開始する。
揺動制御では、凹部２４２ａが開放位置に配置されている状態の可動部材２４２を正回転（１周）させて、凹部２４２ａが開放位置に配置された状態として、この状態で所定時間停止させる。
さらに、凹部２４２ａが開放位置に配置されている状態の可動部材２４２を逆回転（時計回りに回転）させて、凹部２４２ａが閉鎖位置（図示せず）に配置された状態として、この状態で所定時間停止させる。ここで、閉鎖位置とは、初期位置を中心として、開放位置と対称の位置をいう。なお、特定入賞装置２４０では、可動部材２４２の凹部２４２ａが閉鎖位置に配置される際には、凹部２４２ａに収容されている遊技球は、特定入賞口２４１に入賞することができない。
【００５２】
その後、揺動制御では、凹部２４２ａが開放位置で所定時間停止する状態と、凹部２４２ａが閉鎖位置で所定時間停止する状態と、を繰り返すように可動部材２４２が回転される。
そして、主制御装置４００は、「当たり」が終了した場合には、凹部２４２ａが初期位置に配置された状態となるように、可動部材２４２の回転を制御する。
ここで、上述したように、主制御装置４００は、開閉部材２１１の開放制御の開始から所定時間ｔ１が経過した後に、特定入賞口スイッチ３１７による遊技球の検出を有効な状態とする。
【００５３】
そして、所定時間ｔ１は、可動部材２４２の開始制御が開始（開閉部材２１１の開放制御の開始と同時）されてから完了するまでの時間より長く設定されている。これにより、可動部材２４２の開始制御が完了した後に、特定入賞口スイッチ３１７による遊技球の検出が有効な状態となる。
なお、本実施形態では、所定時間ｔ１は、可動部材の開始制御が開始されてから完了するまでの時間と同じ時間に設定されている。これにより、可動部材２４２の開始制御の完了と同時に、特定入賞口スイッチ３１７による遊技球の検出が有効な状態となる。
【００５４】
また、所定時間ｔ１は、振分装置２３０が遊技球を搬送するために要する時間（遊技球を収容してから、該遊技球を流出させるまでに要する最長時間）より長く設定されている。具体的には、所定時間ｔ１は、周壁部２３１の第一の流入口２３１ａから流入した遊技球を回転部材２３２の凹部２３２ａに収容してから、当該遊技球を周壁部２３１の第二の流出口２３１ｄから流出させるまでに要する時間より長く設定されている。
さらに、所定時間ｔ１は、役物装置２００に入球した遊技球が特定入賞口２４１に到達するために要する最短時間より短く設定されている。
【００５５】
（役物装置２００の動作）
次に、役物装置２００の動作を説明する。
図７は、役物装置２００の動作を説明するための図である。
遊技領域１０４に発射された遊技球が第一始動入賞口１１０又は第二始動入賞口１３０に入賞すると、「第１の当たり」、「第２の当たり」、「第３の当たり」及び「第４の当たり」のうちいずれかを生起させることが決定される。
この際、「第１の当たり」又は「第２の当たり」を生起させることが決定された場合には、開閉部材２１１の開放制御が１回実行される。一方、「第３の当たり」又は「第４の当たり」を生起させることが決定された場合には、開閉部材２１１の開放制御が２回実行される。
【００５６】
そして、開閉部材２１１の開放制御が実行されることによって、役物装置２００への遊技球の入球が可能となる。
また、役物装置２００では、開閉部材２１１の開放制御の開始とともに、振分装置２３０の回転部材２３２の回転制御が開始される。
さらに、役物装置２００に入球した遊技球が特定入賞口２４１に入賞すると、現在設定されている当たりフラグに対応するラウンド数で大入賞口の開放制御が実行される。すなわち、「第１の当たり」又は「第３の当たり」に対応する当たりフラグが設定されている場合には、１５ラウンドの大入賞口１４０の開放制御が実行される。一方、「第２の当たり」又は「第４の当たり」に対応する当たりフラグが設定されている場合には、７ラウンドの大入賞口１４０の開放制御が実行される。
【００５７】
ここで、主制御装置４００は、「当たり」を生起させることが決定された場合、開閉部材２１１の開放制御の開始から所定時間ｔ１が経過した後に、特定入賞口スイッチ３１７による遊技球の検出を有効な状態とする。
そして、所定時間ｔ１は、振分装置２３０が遊技球を搬送するために要する時間より長く設定されている。具体的には、所定時間ｔ１は、周壁部２３１の第一の流入口２３１ａから流入した遊技球を回転部材２３２の凹部２３２ａに収容してから、当該遊技球を周壁部２３１の第二の流出口２３１ｄから流出させるまでに要する時間より長く設定されている。
【００５８】
これにより、振分装置２３０によって転動が規制された状態で不正に配置された遊技球により特定入賞口スイッチ３１７による検出を不正に得る行為を防止することが可能となる。
すなわち、図７に示すように、役物装置２００では、「当たり」が生起されていない状態（振分装置２３０の回転部材２３２の回転が停止している状態）で、周壁部２３１の第一の流入口２３１ａに、遊技球Ｐ１を配置する不正配置行為が行われる場合がある。
【００５９】
この遊技球Ｐ１は、「当たり」が生起されることによって、可動部材２３２により搬送されて、周壁部２３１の第二の流出口２３１ｄから特定入賞装置２４０に向かって流出されて、特定入賞口２４１に入賞する場合がある。
しかしながら、パチンコ機１では、所定時間ｔ１が振分装置２３０が遊技球を搬送するために要する時間より長く設定されているため、遊技球Ｐ１が特定入賞口２４１に入賞したときには、特定入賞口スイッチ３１７による遊技球の検出が無効な状態となっている。
よって、パチンコ機１によれば、特定入賞口スイッチ３１７による検出を不正に得る行為を防止することが可能となる。
【００６０】
また、主制御装置４００は、「当たり」を生起させることが決定された場合、開閉部材２１１の開放制御の開始と同時に、可動部材２４２の開始制御を開始する。
開始制御では、可動部材２４２の凹部２４２ａが初期位置に配置されている状態の可動部材２４２を正回転させて、凹部２４２ａが開放位置に配置された状態として、この状態で所定時間ｔ２停止させる。
【００６１】
そして、所定時間ｔ１は、可動部材２４２の開始制御が開始（開閉部材２１１の開放制御の開始と同時）されてから完了するまでの時間より長く設定されている。
これにより、可動部材２４２によって転動が規制された状態で不正に配置された遊技球により特定入賞口スイッチ３１７による検出を不正に得る行為を防止することが可能となる。
すなわち、図７に示すように、役物装置２００では、「当たり」が生起されていない状態（可動部材２４２の回転が停止している状態）で、可動部材２４２の凹部２４２ａに、遊技球Ｐ２を配置する不正配置行為が行われる場合がある。
【００６２】
この遊技球Ｐ２は、「当たり」が生起されて、可動部材２４２の凹部２４２ａが開放位置に配置されることによって、特定入賞口２４１に入賞する。
しかしながら、パチンコ機１では、所定時間ｔ１が可動部材２４２の開始制御が開始されてから完了するまでの時間より長く設定されているため、遊技球Ｐ２が特定入賞口２４１に入賞したときには、特定入賞口スイッチ３１７による遊技球の検出が無効な状態となっている。
よって、パチンコ機１によれば、特定入賞口スイッチ３１７による検出を不正に得る行為を防止することが可能となる。
【００６３】
さらに、所定時間ｔ１は、役物装置２００に入球した遊技球が特定入賞口２４１に到達するために要する最短時間より短く設定されている。
これによって、通常の遊技中において、適正に役物装置２００に入球した遊技球について、特定入賞口スイッチ３１７による検出が無効となることを防止することが可能となる。
【００６４】
（変形例）
以上、本発明の実施形態について説明したが、上記実施形態では、種々の変更を行うことが可能である。
例えば、上記実施形態では、特定入賞装置２４０が、特定入賞口２４１と、可動部材２４２と、を有して構成されている。しかしながら、特定入賞装置２４０は、上向きに開口した入賞口（いわゆるヘソ）として構成して、常時、特定入賞口２４１への遊技球の入賞が可能な状態としても構わない。
【００６５】
また、上記実施形態では、可動部材２４２の開始制御が完了するタイミングと、特定入賞スイッチ３１７による遊技球の検出が有効な状態となるタイミングと、が一致している。しかしながら、特定入賞スイッチ３１７による遊技球の検出が有効な状態となるタイミングは、可動部材２４２の開始制御が完了するタイミングより後であれば、可動部材２４２の開始制御が完了するタイミングと一致していなくても構わない。
また、上記実施形態においては、パチンコ機１である遊技機に本発明を適用した場合について説明したが、これに限らず、本発明の主旨を逸脱しない範囲で他のアミューズメントゲーム機等の遊技機にも適用可能である。
【符号の説明】
【００６６】
１  パチンコ機
２００  役物装置
２１０  入球口
２１１  開閉部材
２２０  誘導路
２３０  振分装置
２３１  周壁部
２３１ａ  第一の流入口
２３１ｂ  第二の流入口
２３１ｃ  第一の流出口
２３１ｄ  第二の流出口
２３２  回転部材
２３２ａ  凹部
２３２ｂ  回転軸
２３３  補助片
２４０  特定入賞装置
２４１  特定入賞口
２４２  可動部材
２４２ａ  凹部
２４２ｂ  回転軸
２５０  排出口
３１０  第一始動入賞口スイッチ
３１２  第二始動入賞口スイッチ
３１１  始動ゲートスイッチ
３１３  大入賞口スイッチ
３１４  左一般入賞口スイッチ
３１５  右一般入賞口スイッチ
３１７  特定入賞口スイッチ
３２０  始動入賞口ソレノイド
３２１  大入賞口ソレノイド
３２２  開閉部材ソレノイド
３２３  モータ
３２５  補助片ソレノイド
３２６  モータ
４００  主制御装置
５００  副制御装置
【図１】
0005631717.tif 000002
【図２】
0005631717.tif 000003
【図３】
0005631717.tif 000004
【図４】
0005631717.tif 000005
【図５】
0005631717.tif 000006
【図６】
0005631717.tif 000007
【図７】
0005631717.tif 000008